(57)【要約】【課題】  中折り処理された冊子の小口を断裁する断裁装置において、断裁装置へ搬送される冊子の曲がり修正を安定化して小口断裁される冊子の品質向上を図る。【解決手段】  冊子搬送手段により搬送される冊子の小口を先端ストッパに突き当てて停止させ、移動手段を移動させて冊子の折り目部を検知した位置で停止させ、押圧部材により冊子を押圧した後、押圧部材を所定量上昇させ冊子と押圧部材との間に冊子が通過可能な隙間を形成し、整合部材を移動させて冊子の折り目部を押圧して先端ストッパに冊子の小口を突き当てて停止させて、冊子の曲がり修正を行い、冊子曲がり修正手段による冊子曲がり修正後、押圧手段の押圧部材を下降させて冊子の折り目部を押圧して挟持し、先端ストッパを上昇させて搬送路から待避させ、冊子移動手段により冊子を挟持して断裁装置の断裁処理開口部に搬送し、断裁装置により冊子の小口を断裁する制御を行う。【選択図】        図１２
2005306558.tif 000002
【特許請求の範囲】
【請求項１】
画像形成された用紙を中折り処理及び中綴じ処理して冊子を作製する用紙後処理装置において、
前記冊子の小口側が突き当てられる先端ストッパと、
前記冊子の折り目側を押圧して前記冊子の小口側を前記先端ストッパに突き当てる移動可能な整合部材を備えた冊子曲がり修正手段と、
前記曲がり修正手段により前記冊子の小口側が前記先端ストッパに突き当てられる際に前記冊子の膨らみを抑制する抑制手段と、
を有することを特徴とする用紙後処理装置。
【請求項２】
前記用紙後処理装置が、
前記冊子の折り目部を押圧する昇降可能な押圧部材と、
前記押圧部材を下降させて前記冊子の折り目部を一旦押圧した後、前記押圧部材を所定量上昇させ、その後、前記冊子曲がり修正手段により前記冊子の折り目側を押圧して前記冊子の小口側を前記先端ストッパに突き当てるように制御する制御手段と、
を有することを特徴とする用紙後処理装置。
【請求項３】
前記押圧部材が前記抑制手段を兼ねており、前記所定量上昇した位置が前記冊子の膨らみを抑制可能な位置であることを特徴とする請求項２に記載の用紙後処理装置。
【請求項４】
前記用紙後処理装置が、
前記冊子の小口側を断裁する断裁装置を有し、
前記制御手段は、前記冊子曲がり修正手段により前記冊子の曲がりを修正した後、前記断裁装置により前記冊子の小口側を断裁するように制御することを特徴とする請求項１乃至３の何れか１項に記載の用紙後処理装置。
【請求項５】
画像形成装置から排出された用紙に中折り処理と中綴じ処理を行って作製される冊子の小口を断裁装置により断裁処理して製本物を作製する用紙後処理装置において、
前記冊子の小口を先頭にして前記断裁装置の断裁処理開口部に搬送する冊子搬送手段と、
前記冊子の折り目部を押圧する昇降可能な押圧部材と前記冊子の小口を先頭にして前記断裁装置の断裁処理開口部に搬送する移動手段とを有する冊子挟持移動手段と、
前記断裁装置の断裁処理開口部近傍に配置した先端ストッパに前記冊子の小口を突き当てる移動可能な整合部材を有する冊子曲がり修正手段と、
前記冊子を押圧して挟持する押圧部材と該押圧部材を支持して移動する移動体とから成る冊子挟持移動手段と、
前記冊子搬送手段、前記冊子曲がり修正手段、前記冊子挟持移動手段の駆動を制御する制御手段と、を有し、
前記制御手段は、前記冊子搬送手段により搬送される前記冊子の小口を前記先端ストッパに突き当てて停止させ、前記移動手段を移動させて前記冊子の折り目部を検知した位置で停止させ、前記押圧部材により前記折り目部を押圧した後、前記押圧部材を所定量上昇させ前記冊子と前記押圧部材との間に前記冊子が通過可能な隙間を形成し、前記整合部材を移動させて前記冊子の折り目部を押圧して前記先端ストッパに前記冊子の小口を突き当てて停止させて、前記冊子の曲がり修正を行い、前記冊子曲がり修正手段による冊子曲がり修正後、前記押圧手段の前記押圧部材を下降させて前記冊子の折り目部近傍を押圧して挟持し、前記先端ストッパを上昇させて搬送路から待避させ、前記冊子移動手段により前記冊子を挟持して前記断裁装置の断裁処理開口部に搬送し、前記断裁装置により前記冊子の小口を断裁する制御を行うことを特徴とする用紙後処理装置。
【請求項６】
画像形成装置から排出された用紙に中折り処理と中綴じ処理を行って作製される冊子の小口を断裁装置により断裁処理して製本物を作製する用紙後処理装置において、
前記冊子の小口を先頭にして前記断裁装置の断裁処理開口部に搬送する冊子搬送手段と、
前記冊子の折り目部を押圧する昇降可能な押圧部材と前記冊子の小口を先頭にして前記断裁装置の断裁処理開口部に搬送する移動手段とを有する冊子挟持移動手段と、
前記断裁装置の断裁処理開口部近傍に配置した昇降可能な先端ストッパに前記冊子の小口を突き当てる移動可能な整合部材を有する冊子曲がり修正手段と、
前記冊子の折り目部の通過を検知する検知手段と、
前記冊子搬送手段、前記冊子曲がり修正手段、前記冊子挟持移動手段の駆動を制御する制御手段と、を有し、
前記制御手段は、前記冊子挟持移動手段により搬送される前記冊子の小口を前記先端ストッパに突き当たる位置を前記検知手段で検知して停止させ、前記整合部材により前記冊子の折り目部を押圧して前記冊子の曲がりを修正し、前記押圧部材により前記冊子を押圧して挟持し、前記先端ストッパを上昇させて搬送路から待避させ、前記冊子移動手段により前記冊子を挟持して前記断裁装置の断裁処理開口部に搬送し、前記断裁装置により前記冊子の小口を断裁する制御を行うことを特徴とする用紙後処理装置。
【請求項７】
給紙部により給送された用紙に画像情報に応じて画像処理部により画像を形成する画像形成装置に接続され、前記画像形成装置から排出された用紙に中折り処理と中綴じ処理を行って作製された冊子を断裁装置に搬送して、冊子曲がり修正後、前記冊子の小口を断裁装置により断裁処理して製本物を作製する請求項４乃至６の何れか１項に記載の用紙後処理装置を備えて成ることを特徴とする画像形成装置。
【発明の詳細な説明】
【技術分野】
【０００１】
本発明は、画像形成装置から排出される画像記録済みの用紙を、中折り処理及び中綴じ処理する用紙後処理装置、及び前記用紙後処理装置を備えた画像形成装置に関する。
【背景技術】
【０００２】
従来、中綴じ処理、中折り処理された冊子に対して、冊子の小口を断裁して小口揃えを行う断裁装置を備えた用紙後処理装置が印刷業界で実用されている。
【０００３】
また、近年、複写機、プリンタ等の画像形成装置により画像が形成された用紙を受容して、中綴じ処理、中折り処理を行い、週刊誌のように製本化した後、断裁装置により冊子の小口を断裁して小口揃えをする断裁装置を備えた用紙後処理装置が提供されている。
【０００４】
特許文献１に記載の断裁装置は、中綴じ処理、中折り処理されて作製された冊子を折り目部を先頭にして搬送し、第１搬送手段、断裁手段、第２搬送手段を通過して先端ストッパに冊子の折り目部が当接して停止し、折り目部近傍を押圧する第１押圧手段と小口近傍を押圧する第２押圧手段とにより押圧させ、断裁手段により小口を断裁するものである。
【特許文献１】特開２０００−１９８６１３号公報
【発明の開示】
【発明が解決しようとする課題】
【０００５】
従来の断裁装置では、特許文献１に示されるように、中綴じ処理、中折り処理されて搬送されてきた冊子は、回動する搬送ベルトによって搬送され、折り目部を先頭にして断裁手段の断裁処理部に挿入され、冊子の折り目部が冊子搬送路に突出した先端ストッパに当接して所定位置に停止した後、昇降可能な押圧手段によって押圧された状態で、断裁手段により冊子搬送方向後端側の冊子小口が断裁される。冊子小口が断裁された冊子は、折り目部を先頭にして搬送され、冊子収納部にスタックされる。
【０００６】
このような従来の断裁装置では、断裁部に搬送される冊子は、断裁処理前に冊子の曲がりを確実に修正する手段を有しないため、冊子の折り目部が先端ストッパに片当たりした状態で断裁され、断裁処理後の冊子小口が折り目部に対して正確に平行にならないという問題がある。
【０００７】
即ち、従来の断裁装置では、中折り処理されて分厚く膨らんだ冊子を受け入れるために、押圧部材を冊子上方の高い位置に配置し、冊子の折り目部を先端ストッパに突き当てて停止させた後、搬送ベルトをオーバーランさせて、冊子の折り目部が先端ストッパに馴染んだところで、押圧部材を下降させて冊子を押圧した後、断裁処理を行っていた。
【０００８】
しかし、この断裁処理方法では、押圧部材を冊子上方の高い位置から下降させるので、冊子の膨らみの圧縮時の影響を受けて曲がりが確実に修正されないという問題がある。
【０００９】
また、上記の断裁装置では、先端ストッパに冊子の折り目部を強制的に当接させる手段を有せず、搬送ベルトの搬送摩擦力のみであるから、冊子曲がり修正が不確実になるという問題がある。
【００１０】
本発明は、中折り処理、中綴じ処理されて搬送されてきた冊子に対して小口を断裁する断裁装置において、断裁装置へ搬送される冊子の曲がり修正を安定化する事を目的とする。更に、冊子搬送機構を簡易化すると共に、小口断裁される冊子の品質を向上させる事を目的とする。
【課題を解決するための手段】
【００１１】
上記の目的は、以下の本発明の用紙後処理装置及び画像形成装置により達成される。
【００１２】
（１）  画像形成された用紙を中折り処理及び中綴じ処理して冊子を作製する用紙後処理装置において、前記冊子の小口側が突き当てられる先端ストッパと、前記冊子の折り目側を押圧して前記冊子の小口側を前記先端ストッパに突き当てる移動可能な整合部材を備えた冊子曲がり修正手段と、前記曲がり修正手段により前記冊子の小口側が前記先端ストッパに突き当てられる際に前記冊子の膨らみを抑制する抑制手段と、を有することを特徴とする用紙後処理装置。
【００１３】
（２）  前記用紙後処理装置が、前記冊子の折り目部を押圧する昇降可能な押圧部材と、前記押圧部材を下降させて前記冊子の折り目部を一旦押圧した後、前記押圧部材を所定量上昇させ、その後、前記冊子曲がり修正手段により前記冊子の折り目側を押圧して前記冊子の小口側を前記先端ストッパに突き当てるように制御する制御手段と、を有することを特徴とする用紙後処理装置。
【００１４】
（３）  前記押圧部材が前記抑制手段を兼ねており、前記所定量上昇した位置が前記冊子の膨らみを抑制可能な位置であることを特徴とする前記（２）に記載の用紙後処理装置。
【００１５】
（４）  前記用紙後処理装置が、前記冊子の小口側を断裁する断裁装置を有し、前記制御手段は、前記冊子曲がり修正手段により前記冊子の曲がりを修正した後、前記断裁装置により前記冊子の小口側を断裁するように制御することを特徴とする前記（１）乃至（３）の何れか１項に記載の用紙後処理装置。
【００１６】
（５）  画像形成装置から排出された用紙に中折り処理と中綴じ処理を行って作製される冊子の小口を断裁装置により断裁処理して製本物を作製する用紙後処理装置において、前記冊子の小口を先頭にして前記断裁装置の断裁処理開口部に搬送する冊子搬送手段と、前記冊子の折り目部を押圧する昇降可能な押圧部材と前記冊子の小口を先頭にして前記断裁装置の断裁処理開口部に搬送する移動手段とを有する冊子挟持移動手段と、前記断裁装置の断裁処理開口部近傍に配置した先端ストッパに前記冊子の小口を突き当てる移動可能な整合部材を有する冊子曲がり修正手段と、前記冊子を押圧して挟持する押圧部材と該押圧部材を支持して移動する移動体とから成る冊子挟持移動手段と、前記冊子搬送手段、前記冊子曲がり修正手段、前記冊子挟持移動手段の駆動を制御する制御手段と、を有し、前記制御手段は、前記冊子搬送手段により搬送される前記冊子の小口を前記先端ストッパに突き当てて停止させ、前記移動手段を移動させて前記冊子の折り目部を検知した位置で停止させ、前記押圧部材により前記折り目部を押圧した後、前記押圧部材を所定量上昇させ前記冊子と前記押圧部材との間に前記冊子が通過可能な隙間を形成し、前記整合部材を移動させて前記冊子の折り目部を押圧して前記先端ストッパに前記冊子の小口を突き当てて停止させて、前記冊子の曲がり修正を行い、前記冊子曲がり修正手段による冊子曲がり修正後、前記押圧手段の前記押圧部材を下降させて前記冊子の折り目部近傍を押圧して挟持し、前記先端ストッパを上昇させて搬送路から待避させ、前記冊子移動手段により前記冊子を挟持して前記断裁装置の断裁処理開口部に搬送し、前記断裁装置により前記冊子の小口を断裁する制御を行うことを特徴とする用紙後処理装置。
【００１７】
（６）  画像形成装置から排出された用紙に中折り処理と中綴じ処理を行って作製される冊子の小口を断裁装置により断裁処理して製本物を作製する用紙後処理装置において、前記冊子の小口を先頭にして前記断裁装置の断裁処理開口部に搬送する冊子搬送手段と、前記冊子の折り目部を押圧する昇降可能な押圧部材と前記冊子の小口を先頭にして前記断裁装置の断裁処理開口部に搬送する移動手段とを有する冊子挟持移動手段と、前記断裁装置の断裁処理開口部近傍に配置した昇降可能な先端ストッパに前記冊子の小口を突き当てる移動可能な整合部材を有する冊子曲がり修正手段と、前記冊子の折り目部の通過を検知する検知手段と、前記冊子搬送手段、前記冊子曲がり修正手段、前記冊子挟持移動手段の駆動を制御する制御手段と、を有し、前記制御手段は、前記冊子挟持移動手段により搬送される前記冊子の小口を前記先端ストッパに突き当たる位置を前記検知手段で検知して停止させ、前記整合部材により前記冊子の折り目部を押圧して前記冊子の曲がりを修正し、前記押圧部材により前記冊子を押圧して挟持し、前記先端ストッパを上昇させて搬送路から待避させ、前記冊子移動手段により前記冊子を挟持して前記断裁装置の断裁処理開口部に搬送し、前記断裁装置により前記冊子の小口を断裁する制御を行うことを特徴とする用紙後処理装置。
【００１８】
（７）  給紙部により給送された用紙に画像情報に応じて画像処理部により画像を形成する画像形成装置に接続され、前記画像形成装置から排出された用紙に中折り処理と中綴じ処理を行って作製された冊子を断裁装置に搬送して、冊子曲がり修正後、前記冊子の小口を断裁装置により断裁処理して製本物を作製する前記（４）乃至（６）の何れか１項に記載の用紙後処理装置を備えて成ることを特徴とする画像形成装置。
【発明の効果】
【００１９】
本発明の用紙後処理装置及び画像形成装置により、以下の効果が得られる。
【００２０】
請求項１の用紙後処理装置により、先端ストッパと冊子曲がり修正手段とによって冊子の曲がりを修正する際に、抑制手段により冊子の膨らみが抑制されるため、冊子の曲がり修正が適切に行われる。
【００２１】
請求項２の用紙後処理装置により、押圧部材で冊子の折り目部を一旦押圧した後に、曲がり修正が行われるため、冊子の曲がり修正がより適切に行われる。
【００２２】
請求項３の用紙後処理装置により、押圧手段が抑制手段を兼ねるため、部品点数を抑えて装置の大型化を抑制する事が出来る。
【００２３】
請求項４の用紙後処理装置により、曲がりを適切に修正した後の冊子の小口を断裁できるため、冊子の仕上がり品質を向上出来る。
【００２４】
請求項５の用紙後処理装置により、中折り処理、中綴じ処理されて搬送されて断裁装置へ搬送される冊子の曲がり修正、断裁装置の断裁処理開口部へ挿入される冊子の押圧搬送が安定化する。また、冊子搬送機構が簡易化される。更に、冊子の曲がり修正後、冊子の小口近傍を押圧手段によって挟持した状態で冊子を搬送して、断裁処理開口部に挿入する事により、小口近傍の押圧時間が長く、冊子の膨らみが確実に解消されて平坦化された状態で断裁処理されるから、小口断裁された冊子の仕上がり品質が向上する。
【００２５】
請求項６の用紙後処理装置により、冊子の折り目部を整合部材を移動させて押圧し、冊子の小口を先端ストッパに突き当てて挟み込む形で停止させる事によって、冊子の曲がり修正が正確で且つ安定する。
【００２６】
請求項７の画像形成装置により、所望の画像形成処理が高速に行われ、片面記録、両面記録、頁編集等の処理後に排出された用紙は、本発明の用紙後処理装置により、中折り処理、中綴じ処理後に、断裁処理部の冊子搬送が正確且つ高速に行われて排出されるから、画像形成装置の高速処理生産性に対応可能である。
【発明を実施するための最良の形態】
【００２７】
以下、本発明の用紙後処理装置、及び用紙後処理装置を備えた画像形成装置を図面に基づいて詳細に説明する。なお、本発明の用紙後処理装置、及び用紙後処理装置を備えた画像形成装置は、以下の実施の形態に限定されるものではない。
【００２８】
［画像形成装置］
図１は画像形成装置Ａ、自動原稿送り装置ＤＦ、用紙後処理装置Ｂ、大容量給紙装置ＬＴから成る画像形成システムの全体構成図である。
【００２９】
図示の画像形成装置Ａは、画像読取部１、画像処理部２、画像書込部３、画像形成部４、給紙カセット５Ａ，５Ｂ，５Ｃ、手差し給紙トレイ５Ｄ、第１給紙部６Ａ，６Ｂ，６Ｃ，６Ｄ、第２給紙部６Ｆ、定着装置７、排紙部８、自動両面コピー給紙部（ＡＤＵ）８Ｂを備えている。
【００３０】
画像形成装置Ａの上部には、自動原稿送り装置ＤＦが搭載されている。画像形成装置Ａの図示の左側面の排紙部８側には、用紙後処理装置Ｂが連結されている。
【００３１】
自動原稿送り装置ＤＦの原稿台上に載置された原稿は画像読取部１の光学系により原稿の片面又は両面の画像が読みとられ、ＣＣＤイメージセンサ１Ａにより読み込まれる。
【００３２】
ＣＣＤイメージセンサ１Ａにより光電変換されたアナログ信号は、画像処理部２において、アナログ処理、Ａ／Ｄ変換、シェーディング補正、画像圧縮等の処理を経た後、画像書込部３に送られる。
【００３３】
画像書込部３においては、半導体レーザからの出力光が画像形成部４の感光体ドラム４Ａに照射され、潜像を形成する。画像形成部４においては、帯電、露光、現像、転写、分離、クリーニング等の処理が行われる。給紙カセット５Ａ〜５Ｃの第１給紙部６Ａ〜６Ｃ、手差し給紙トレイ５Ｄの第１給紙部６Ｄ、大容量給紙装置ＬＴの第１給紙部６Ｅの各々により給送された用紙Ｓは第２給紙部６Ｆを経て、転写手段４Ｂにより画像が転写される。画像を担持した用紙Ｓは、定着装置７により定着され、排紙部８から用紙後処理装置Ｂに送り込まれる。或いは搬送路切換板８Ａにより自動両面コピー給紙部８Ｂに送り込まれた片面画像処理済みの用紙Ｓは再び画像形成部４において、両面画像処理後、排紙部８から排出される。
【００３４】
操作部９は画像形成装置Ａ及び用紙後処理装置Ｂ等から成る画像形成システムの処理機能を選択、設定する。
【００３５】
［用紙後処理装置］
図２は用紙後処理装置Ｂの用紙搬送工程を示す模式図である。図３は用紙後処理装置Ｂの中折り、中綴じ処理工程の用紙搬送を示す模式図である。図４は後処装置Ｂの正面図、図５は右側面図、図６は左側面図である。
【００３６】
最初に、用紙導入から折り処理前迄の用紙搬送工程を説明する。
【００３７】
図２、図４に示すように、画像形成装置Ａから排出された用紙Ｓは、用紙後処理装置Ｂの入口部１１に導入されると、入口ローラ１２により挟持され、搬送路切換手段Ｇ１の上方の搬送路ｒ１又は下方の搬送路ｒ２の何れかに搬送される。
【００３８】
〈ストレート排紙〉
搬送路ｒ１に分岐された用紙Ｓは、搬送ローラ１３Ａ〜１３Ｅにより挟持されて搬送され、搬送路切換手段Ｇ２の上方の搬送路ｒ３又は下方の搬送路ｒ４の何れかに搬送される。
【００３９】
上方の搬送路ｒ３に進行した用紙Ｓは、排紙ローラ１４によって排出され、用紙後処理装置Ｂの上部に配置されたサブ排紙トレイ１５上に積載される。
【００４０】
下方の搬送路ｒ４に進行した用紙Ｓは、搬送ローラ１６Ａ〜１６Ｄにより挟持されて搬送され、排紙ローラ１７によって排出される。
【００４１】
〈第１直角偏向搬送〉
搬送路切換手段Ｇ１の下方の搬送路ｒ２に搬送された用紙Ｓは、ほぼ垂直に下降し、所定位置に一時停止して収納される。この停止位置において、後続の複数枚の用紙Ｓが重ね合わせられて収容される。
【００４２】
〈第２直角偏向搬送〉
収容された用紙Ｓは、搬送ローラ１８Ａ〜１８Ｅと図示しない案内板によって図２の紙面に対して直角手前方向に偏向移動されて、用紙後処理装置Ｂ内部の前面側Ｂｆに回り込む搬送路ｒ５を用紙面を直立させた状態で通過し、所定位置に一時停止する。
【００４３】
〈第３直角偏向搬送〉
次に、用紙Ｓは搬送ローラ１８Ｅによって垂直上方に搬送された後、水平方向に偏向され、搬送整合ベルト１９、搬送ローラ２０によって整合手段に向けて移動される（搬送路ｒ６）。
【００４４】
〈折り処理前の整合〉
整合手段は、搬送路ｒ６の用紙搬送方向下流側に配置され、用紙先端部を当接させて位置決めする整合部材２１と、用紙Ｓの後端部を押圧して移動させる移動可能な整合部材１９Ａとから成る。整合部材１９Ａは、搬送路ｒ６の用紙搬送方向上流側に配置された搬送ローラ２０により搬送された用紙Ｓの後端部を押圧して整合部材２１まで移動させ、用紙先端部を整合部材２１に当接させて用紙揃えを行う。
【００４５】
次に、用紙後処理装置Ｂにおける用紙Ｓの中折り処理、中綴じ処理、冊子の小口断裁処理を具体的に説明する。
【００４６】
〈折り機構〉
搬送整合ベルト１９の用紙搬送方向下流側には、折り処理部３０が配置されている。折り処理部３０は折りローラ３１，３２，３３、第１折り板３４、第２折り板３５から構成されている。
【００４７】
〈二つ折り処理〉
折り処理部３０に到達した１枚又は複数枚の用紙Ｓは、互いに逆方向に回転する折りローラ３１，３２、及び直進する第１折り板３４によって挟持されて二つ折り処理が行われ、用紙搬送方向中央で用紙幅方向にわたって折り目ａ（図２参照）を形成する（図５参照）。二つ折り処理された用紙Ｓは後述の中折り処理の搬送路を通過して排紙排紙トレイ５６に排出される。
【００４８】
〈三つ折り処理〉
三つ折り処理を行う場合には、折り処理部３０において、折りローラ３１，３２と第１折り板部材３４とにより用紙Ｓに第１の折り目ｂが形成され、折りローラ３２，３３と第２折り板部材３５とにより用紙Ｓに第２の折り目ｃが形成されて三つ折り処理された後、複数の搬送ローラ３７と案内板とから成る搬送路ｒ８を通過して、排紙ローラ３８によって排紙トレイ３９に排出される。
【００４９】
〈中折り処理〉
折りローラ３１，３２、第１折り板３４によって二つ折り処理が行われて折り目ａを形成した用紙Ｓは、折りローラ３１，３２の逆回転によって、折りローラ３１，３２のニップ位置から離間されて元の水平搬送路に戻される。用紙Ｓは引き続き、回動する搬送ベルト３６に固定された搬送爪３６Ａ（図４参照）によって、折り目ａの延長線方向（図２、図３参照）の搬送路ｒ７に搬送され、中綴じ処理部４０に送り込まれる。
【００５０】
このように、折り処理部３０は、１乃至３枚の少数枚の用紙Ｓを中折り処理して、折り目ａをしっかり付け、逐次、中綴じ処理部４０に送り込む事により、折り目ａの膨らみが少ない高品位の冊子（製本物）ＳＡを作製する事ができる。
【００５１】
〈中綴じ処理〉
折り処理部３０において中折り処理された用紙Ｓは、搬送ベルト３６及び図示しない案内手段によって搬送路ｒ７方向に進行し、中綴じ処理部４０の鞍掛集積部材４１上に載置される。後続の中折り処理された用紙Ｓも引き続き搬送路ｒ７を通過して鞍掛集積部材４１上に積載される。
【００５２】
鞍掛集積部材４１は、ほぼ直交する２枚のガイド板から成り、装置本体に固定されている。鞍掛集積部材４１の頂部近傍には、バネ付勢されて昇降可能な押圧部材４１Ａが受針機構４４に支持された状態で配置されている（図６参照）。
【００５３】
押圧部材４１Ａの頂部は、上方にほぼ直角な凸形状をなし、その頂部稜線上に中折り処理された用紙Ｓの折り目ａ（図２参照）が載置される。
【００５４】
鞍掛集積部材４１及び押圧部材４１Ａ上に載置された複数枚の用紙Ｓは、幅整合手段４２によって位置揃えされる。
【００５５】
押圧部材４１Ａの上方には、打針機構４３が固定配置されている。鞍掛集積部材４１の内部には、押圧部材４１Ａと受針機構４４が上下方向に移動可能に支持されている。
【００５６】
打針機構４３と受針機構４４とから成る二分割構造の綴じ手段は、用紙折り目方向に２組配置されている。操作部において、中綴じ処理が設定されると、受針機構４４が上昇して中綴じ処理を行う。即ち、２組の綴じ手段は押圧部材４１Ａ上の冊子ＳＡの折り目ａに沿って、中央振り分け２箇所に綴じ針ＳＰを打針する（図３参照）。中折り処理、中綴じ処理された冊子ＳＡを図３の模式図に示す。
【００５７】
〈冊子断裁処理〉
中綴じ処理部４０において中綴じ処理された冊子ＳＡは、冊子搬送手段５０の案内部材５１に支持されて一点鎖線方向に揺動されて搬送ベルト５２上に載置される。搬送ベルト５２の回動により冊子ＳＡは斜め下方に搬送され、更に、傾斜状態に保持されて、回動する搬送ベルト５３により移送されて所定位置に停止される。
【００５８】
その後、搬送ベルト５３は揺動して水平状態になる。この水平状態になった搬送ベルト５３上に載置された冊子ＳＡの小口（折り目の反対側の自由端部）は、冊子ＳＡの用紙枚数によって不揃いになっているから、断裁装置９０により断裁して、小口を揃える。
【００５９】
断裁処理されて作製された冊子ＳＡは、逆回転する搬送ベルト５３に載置され、搬送ベルト５３に固定された可動整合部材５４により冊子ＳＡの後端部が押圧された状態で搬送され、搬送ベルト５３の先端部から矢示方向に落下する。落下した冊子ＳＡは、回動する排出ベルト５５により用紙後処理装置Ｂの前面側Ｂｆの外方に配置された排紙トレイ５６に排出される。
【００６０】
［小口断裁処理］
次に、断裁装置９０及び冊子搬送駆動手段の機構を詳細に説明する。
【００６１】
〈冊子搬送駆動手段〉
図７は冊子搬送駆動機構の全体図である。
【００６２】
モータＭ１は、ワイヤＷを介して搬送ベルト５３を駆動ローラ回転軸５３Ａを中心にして揺動させる。モータＭ２は、可動整合部材５４と一体構成をなす搬送ベルト５３を正逆回動させる。モータＭ３は冊子ＳＡの折り目部ｄ近傍を押圧する押圧部材６２を昇降させる。モータＭ４は冊子挟持移動手段６０の移動体６１を冊子搬送方向に直線移動させる（図９において詳述する）。モータＭ５は駆動ローラ５５Ａと従動ローラ５５Ｂとを巻回する排出ベルト５５の回動と、断裁屑搬送ベルト７２の回動と、断裁屑収容箱７６の移送部材７５の移動とを行う。
【００６３】
図８は、冊子搬送手段５０を揺動駆動させる揺動機構の断面図である。
【００６４】
冊子搬送手段５０の搬送ベルト５３は、駆動ローラ回転軸５３Ａを中心にして揺動可能に支持されている。冊子搬送手段５０の端部（図示の右側）に一端が係止されたワイヤＷは、装置本体に回転可能に支持された中間ローラ５９の外周面に沿って偏向され、プーリ５８の外周面を巻回した後、ワイヤ末端がプーリ５８の一部に固定されて張設される。
【００６５】
プーリ５８の回転軸上に固定されたギアＺ１４は、中間のギアＺ１３，Ｚ１２を介してモータＭ１の駆動軸に固定されたギアＺ１１に接続されている。
【００６６】
モータＭ１の駆動により、プーリ５８が回転して、ワイヤＷを巻き上げ、冊子載置台５０Ａ、搬送ベルト５３等から成る冊子搬送手段５０を吊り上げ、駆動ローラ回転軸５３Ａを中心にして上方に揺動させて上昇させる。冊子搬送手段５０の上昇位置を破線で示す。ＰＳ１は冊子搬送手段５０の下限位置を検知するセンサ、ＰＳ２は冊子搬送手段５０の上限位置を検知するセンサである。
【００６７】
冊子搬送手段５０を水平位置に下降させる場合には、モータＭ１を逆転駆動して、プーリ５８を逆回転させ、ワイヤＷの引っ張り力を解除し、冊子搬送手段５０の自重によって下降させる。
【００６８】
モータＭ２は、ギアＺ１５，Ｚ１６を介して駆動ローラ回転軸５３Ａを回転させ、搬送ベルト５３を正逆回動させる。
【００６９】
〈押圧板の昇降駆動手段〉
図９は、冊子挟持移動手段６０と冊子整合手段の断面図である。
【００７０】
冊子挟持移動手段６０は、移動体６１、移動体６１に固定された冊子支持板６９、昇降可能な押圧部材６２、及び移動体駆動手段、押圧板昇降駆動手段を有する。
【００７１】
モータＭ３は冊子ＳＡの折り目部ｄ近傍を押圧する押圧部材６２を昇降させる。押圧部材６２は移動体６１の長溝部６１Ａに沿って昇降可能に支持されている。
【００７２】
図１０は、押圧部材６２を昇降駆動させる押圧板昇降駆動手段の斜視図である。
【００７３】
押圧部材６２に一端が係止された第１のワイヤＷ１は、滑車６３Ａを巻回し、プーリ６４Ａを巻回し、更にプーリ６５の外周面を複数回巻回した後、プーリ６６Ａを巻回し、滑車６３Ｂを巻回した後、ワイヤＷ１の末端が押圧部材６２に固定されて張設される。
【００７４】
押圧部材６２に一端が係止された第２のワイヤＷ２は、プーリ６４Ｂを巻回した後、バネ６７Ａの一端に接続している。バネ６７Ａの他端は、装置本体に係止されている。
【００７５】
押圧部材６２に一端が係止された第３のワイヤＷ３は、プーリ６６Ｂを巻回した後、バネ６７Ｂの一端に接続している。バネ６７Ｂの他端は、装置本体に係止されている。
【００７６】
モータＭ３の正回転駆動により、ギアＺ１７，Ｚ１８を介してプーリ６５が正回転し、ワイヤＷ１が巻き上げられて、滑車６３Ａ，６３Ｂを介して押圧部材６２が引き上げられる。
【００７７】
モータＭ３の逆回転駆動により、プーリ６５が逆回転し、ワイヤＷ１が逆方向に変位して、滑車６３Ａ，６３Ｂを介して押圧部材６２が下降可能になる。押圧部材６２に係止されたワイヤＷ２は、バネ６７Ａによって付勢され、押圧部材６２を引き下げる。同時に、押圧部材６２に係止されたワイヤＷ３は、バネ６７Ｂによって付勢され、押圧部材６２を引き下げる。押圧部材６２の下降により、冊子載置台５０Ａ上に載置された冊子ＳＡの折り目部ｄ近傍が押圧される。
【００７８】
〈冊子挟持搬送手段〉
図９において、モータＭ４は押圧部材６２を冊子搬送方向に直線移動させる。モータＭ４の駆動回転により、ギアＺ２１，Ｚ２２，Ｚ２３，Ｚ２４，Ｚ２５，Ｚ２６を介して駆動プーリ６８Ａを回転させる。駆動プーリ６８Ａと従動プーリ６８Ｂとを巻回するベルト７０には、移動体６１が係止されている。移動体６１は、冊子載置台５０Ａに冊子搬送方向と平行に架設されたガイドバー７１に摺動可能に支持されている。モータＭ４の駆動回転により、ベルト７０が回動して、移動体６１がガイドバー７１に沿って往復移動する。
【００７９】
〈小口押圧部材の昇降駆動〉
図１１は、小口押圧部材８０の昇降駆動を示す断面図である。
【００８０】
冊子ＳＡの小口近傍を押圧する小口押圧部材８０は、カム機構で上下駆動され、押圧バネ８１で冊子ＳＡを押圧する。冊子ＳＡの厚さの差異は複数の押圧バネ８１で吸収する。
【００８１】
モータＭ７は、ギアＺ３３を介してピニオンギアＺ３４を回転させ、ピニオンギアＺ３４に噛み合うラックギアＺ３５を有する移動部材８２を直線移動させる。移動部材８２に穿設されたカム溝部８２Ａには、小口押圧部材８０に植設されたコロ８３が移動可能に嵌合している。
【００８２】
移動部材８２の矢印方向の直線移動によって、カム溝部８２Ａがコロ８３を押し下げると、コロ８３を固定している移動部材８２が所定の移動長さで下降して冊子ＳＡを押圧する。
【００８３】
小口押圧部材８０の昇降移動は、移動部材８２のカム溝部８２Ａの垂直方向長さで規制される。従って、移動部材８２の直線移動長をセンサＰＳ６，ＰＳ７によって検知する事により昇降移動が制御される。
【００８４】
〈先端ストッパ及び小口押圧部材の昇降駆動〉
図１２は断裁装置９０近傍の断面図、図１３は断裁装置９０近傍の側面図を示す。
【００８５】
図１２（ａ）及び図１３（ａ）は冊子の小口ｅを先端ストッパ８４に突き当てた状態、図１３（ｂ）は冊子ＳＡを断裁処理開口部９０Ａに搬送する状態、図１２（ｂ）及び図１３（ｃ）は冊子ＳＡの小口近傍を押圧して断裁装置９０により小口ｅを断裁する状態を示す。
【００８６】
モータＭ６により昇降駆動される小口押圧部材８０には、可動部材８５が揺動可能に支持されている。可動部材８５に保持されたコロ８５Ａは、小口押圧部材８０に穿設された長溝部８０Ａに沿って移動し、可動部材８５を垂直方向に移動させる。可動部材８５はレバー８６に植設された軸８６Ａにより上下方向に揺動可能に支持されている。レバー８６の基部は支軸８７に揺動可能に支持されている。レバー８６の先端部に植設された軸８７Ａは先端ストッパ８４の長溝部８４Ａに沿って移動し、先端ストッパ８４を昇降させる。レバー８６はガイドバー８４Ｂに沿って垂直方向に移動可能である（図１２参照）。
【００８７】
単一の駆動源であるモータＭ６は、小口押圧部材８０を昇降駆動させるとともに、可動部材８５、レバー８６を介して先端ストッパ８４を昇降させる。なお、支軸８７からレバー８６の先端部までの距離は、支軸８７から小口押圧部材８０の軸８６Ａまでの距離より大であるから、先端ストッパ８４の昇降ストロークは、小口押圧部材８０の昇降ストロークに比して大である。
【００８８】
先端ストッパ８４は自重またはバネ付勢されて下降可能に支持されているが、冊子ＳＡの先端部が通過した後、小口押圧部材８０の下降に連動して下降して冊子ＳＡの上面に当接して停止する。
【００８９】
〈断裁装置〉
図１４（ａ）は断裁装置９０の正面図、図１４（ｂ）は断裁装置９０の側断面図である。
【００９０】
断裁装置９０は、回転しつつ冊子搬送方向に交差する幅方向に直線移動する回転上刃９１、冊子幅方向に固定された固定下刃９２、回転上刃９１の回転と直線移動を行うモータＭ７と駆動伝達機構とから成る駆動手段、冊子ＳＡの小口近傍を押圧する小口押圧部材８０（図１３参照）等から構成されている。
【００９１】
モータＭ７は、タイミングベルト９３を介して断裁装置本体９６に架設したボールネジ９４を回転させ、回転上刃９１を配設した回転上刃移動体９５を直線移動させる。回転上刃移動体９５は、初期位置センサ（ＨＰセンサ）ＰＳ４とセンサＰＳ５との間を直線移動する。
【００９２】
断裁装置本体９６には、ボールネジ９４の回転中心線に平行してラックギアＺ３１が固設されている。回転上刃移動体９５に回転自在に配置されたピニオンギアＺ３２は、ラックギアＺ３１に噛み合い、回転上刃移動体９５の移動により従動回転される。ピニオンギアＺ３２の回転により、ピニオンギアＺ３２を保持する駆動伝達軸９７に固定されたギアＺ２７が回転し、ギアＺ２８，Ｚ２９，Ｚ３０を介して回転上刃９１が回転する。従って、モータＭ７は、回転上刃９１の直線移動と回転とを行う。回転上刃９１は、バネ９８に付勢され、固定下刃９２に押し付けられている。
【００９３】
図１５は断裁装置９０の各種例を示す断面図である。これらの図において、実線で示す断裁刃は断裁開始位置を示し、破線で示す断裁刃は断裁終了位置を示す。
【００９４】
図１５（ａ）は、上述の回転上刃９１、固定下刃９２から成るロータリーカッタ方式の断裁装置９０を示す。回転上刃９１は矢印方向に回転しながら固定下刃９２に係合して白抜き矢印方向に直進して冊子ＳＡの小口ｅを断裁する。
【００９５】
図１５（ｂ）は、回転上刃９１に代えてストレート刃９１Ａを用いた断裁装置９０を示す。ストレート刃９１Ａは白抜き矢印方向に直進して冊子ＳＡの小口ｅを断裁する。ストレート刃９１Ａとしては市販のＮＴカッタ（登録商標）が使用可能である。
【００９６】
図１５（ｃ）は、固定下刃９２、可動上刃９９から成る断裁装置９０を示す。傾斜角を有する可動上刃９９は固定下刃９２に係合して白抜き矢印方向に直進下降して冊子ＳＡの小口ｅを一端から他端に向けて断裁してゆく。
【００９７】
図１５（ｄ）は、固定下刃９２、可動上刃９９から成る断裁装置９０の他の例を示す。傾斜角を有する可動上刃９９は固定下刃９２に係合して白抜き矢印方向に斜め下方に下降して冊子ＳＡの小口ｅを一端から他端に向けて断裁してゆく。
【００９８】
図１５（ｅ）は、断裁装置９０の更に他の例を示す。傾斜角を有する可動下刃９９Ａは白抜き矢印方向に斜め上方に上昇して冊子ＳＡの小口ｅを一端から他端に向けて断裁してゆく。冊子ＳＡの上面を支持するまな板状の受板９９Ｂは、バネ９９Ｃに支持され可動下刃９９Ａの刃先を受け止める。
【００９９】
［冊子曲がり修正工程及び断裁処理工程の第１の実施の形態］
図１６は、用紙後処理装置Ｂの制御を示すブロック図である。
【０１００】
画像形成装置Ａの操作部９において、用紙サイズ、用紙枚数が設定され、更に中折り中綴じ処理、小口断裁処理が設定されると、制御手段１００は、用紙後処理装置Ｂの搬送ベルト５３、排出ベルト５５、移動体６１、押圧部材６２、先端ストッパ８４、小口押圧部材８０、断裁装置９０の駆動を制御する。センサＰＳ１〜ＰＳ７は、用紙後処理装置Ｂの各部材及び冊子ＳＡの位置を検知して制御手段１００に検知信号Ｗを送信する。
【０１０１】
図１７〜図２１は、中折り、中綴じ処理されて作製された冊子ＳＡを搬送し、曲がりを修正して断裁装置９０に送り込む工程の第１の実施の形態を示す断面図である。
【０１０２】
（１）  傾斜配置された搬送ベルト５２上を滑落する冊子ＳＡは、傾斜位置に保持された冊子載置台５０Ａ上を小口ｅを先頭にして移送される（図１７参照）。
【０１０３】
（２）  冊子載置台５０Ａ上を滑落する冊子ＳＡの小口ｅの進行方向先端部は、断裁処理開口部９０Ａ近傍に配置され、下降している先端ストッパ８４に当接して受け止められる（図１８参照）。
【０１０４】
（３）  モータＭ１の駆動によって、冊子搬送手段５０の冊子載置台５０Ａ及び搬送ベルト５３を揺動させて水平状態に保持する（図８参照）。
【０１０５】
（４）  モータＭ４の駆動によって、冊子挟持移動手段６０の移動体６１が図示右方向から矢印方向に移動し、冊子挟持移動手段６０に配置されたセンサＰＳ３が冊子ＳＡの折り目部ｄ後端を検知した時点で一時停止する。
【０１０６】
（５）  モータＭ３の駆動によって、冊子挟持移動手段６０の押圧部材６２が下降して、冊子ＳＡの折り目部ｄ近傍を押圧し、折り目部ｄ近傍の膨らみを平坦化する（図１９参照）。
【０１０７】
（６）  モータＭ３の駆動によって、押圧部材６２を所定量上昇させ、冊子ＳＡの上面と押圧部材６２の下面との間に若干の間隙ｋを形成させる（図２０参照）。
【０１０８】
（７）  モータＭ２の駆動によって、搬送ベルト５３を矢印方向に回動させ、搬送ベルト５３に固定された整合部材５７を移動させ、冊子ＳＡの折り目部ｄに当接させて、冊子ＳＡの小口ｅをモータＭ６により下降位置に停止している先端ストッパ８４に突き当てて、冊子ＳＡの曲がりを修正する（図１２（ａ）、図２０参照）。
【０１０９】
（８）  冊子ＳＡの曲がりを修正した後、モータＭ３の駆動によって、押圧部材６２を再度下降させ、冊子支持板６９上の冊子ＳＡの折り目部ｄ付近を押圧して冊子ＳＡを挟持する（図２１参照）。
【０１１０】
（９）  モータＭ６の駆動によって、先端ストッパ８４と小口押圧部材８０とを上方に待避させ、断裁処理開口部９０Ａを開放状態にする（図２１の破線位置）。
【０１１１】
（１０）  モータＭ４の駆動によって冊子挟持移動手段６０を図示左方に移動させる事により、整合部材５７と冊子支持板６９とにより挟持されたまま移動する冊子ＳＡの先端部近傍が断裁処理開口部９０Ａを通過する。冊子挟持移動手段６０を用紙サイズに対応した所定位置に停止させる。
【０１１２】
（１１）  モータＭ６の駆動によって、小口押圧部材８０を下降させ冊子ＳＡの小口近傍を押圧して平坦化した状態にする。
【０１１３】
（１２）  モータＭ７の駆動によって、回転上刃９１が回転しながら冊子ＳＡの幅方向に移動して、固定下刃９２とにより冊子ＳＡの小口を断裁する（図１２（ｂ）参照）。
【０１１４】
［冊子曲がり修正工程及び断裁処理工程の第２の実施の形態］
図２２は、冊子ＳＡの曲がりを修正して断裁装置９０に搬送する工程の第２の実施の形態を示す断面図である。
【０１１５】
（１Ａ）  傾斜配置された搬送ベルト５２上を滑落する冊子ＳＡは、傾斜位置に保持された冊子載置台５０Ａ上を小口ｅを先頭にして移送される（図１７参照）。
【０１１６】
（２Ａ）  冊子載置台５０Ａ上を滑落する冊子ＳＡの小口ｅの進行方向先端部は、断裁処理開口部９０Ａ近傍に配置された先端ストッパ８４に当接して受け止められる（図１８参照）。
【０１１７】
（３Ａ）  モータＭ１の駆動によって、冊子搬送手段５０の冊子載置台５０Ａ及び搬送ベルト５３を揺動させて水平状態に保持する（図８参照）。
【０１１８】
（４Ａ）  モータＭ４の駆動によって、搬送ベルト５３が図示の矢印方向に回動され、搬送ベルト５３に固定された整合部材５７が図示の右側から移動して冊子ＳＡの折り目部ｄを押圧し、冊子ＳＡの小口ｅを先端ストッパ８４に当接させ、冊子ＳＡの曲がりを矯正する。
【０１１９】
（５Ａ）  冊子ＳＡの曲がりを修正した後、モータＭ３の駆動によって、押圧部材６２を下降させ、冊子支持板６９上の冊子ＳＡの折り目部ｄ付近を押圧して冊子ＳＡを挟持する。
【０１２０】
（６Ａ）  モータＭ６の駆動によって、先端ストッパ８４と小口押圧部材８０とを上方に待避させ、断裁処理開口部９０Ａを開放状態にする。
【０１２１】
（７Ａ）  モータＭ４の駆動によって、冊子ＳＡを挟持したまま冊子挟持移動手段６０を図示左方に移動させ、冊子ＳＡの先端部近傍を断裁処理開口部９０Ａを通過させる。冊子挟持移動手段６０を用紙サイズに対応した所定位置に停止させる。
【０１２２】
（８Ａ）  モータＭ６の駆動によって、小口押圧部材８０を下降させ冊子ＳＡの小口近傍を押圧して平坦化した状態にする。
【０１２３】
（９Ａ）  モータＭ７の駆動によって、回転上刃９１が回転しながら冊子ＳＡの幅方向に移動して、固定下刃９２とにより冊子ＳＡの小口を断裁する。
【０１２４】
［冊子排出工程］
図２３、図２４は、断裁処理した冊子ＳＡを排出する工程を示す断面図である。
【０１２５】
（１Ｂ）  断裁処理後、モータＭ６の駆動によって小口押圧部材８０の押圧を解除し、モータＭ３の駆動によって押圧部材６２を折り目部ｄ近傍に押圧したまま図示右側に移動させる。
【０１２６】
（２Ｂ）  冊子ＳＡの小口ｅが、搬送ベルト５３を回動させる駆動ローラ回転軸５３Ａの回転中心位置の上方付近を通過したら、モータＭ３の駆動によって押圧部材６２による押圧を解除し、引き続きモータＭ２の駆動によって、搬送ベルト５３が正回転して、搬送ベルト５３に固定された可動整合部材５４が冊子ＳＡの小口ｅを押圧して、冊子載置台５０Ａ上を排出方向に移動させる（図２３参照）。
【０１２７】
（３Ｂ）  冊子ＳＡの小口ｅが、搬送ベルト５３の図示右端近傍で、可動整合部材５４の旋回位置を通過すると、可動整合部材５４により押し出されて、冊子載置台５０Ａ上から落下する。落下した冊子ＳＡは、回動する排出ベルト５５の上方に放出され、先行の冊子ＳＡの上面に鱗状に積載される（図２４参照）。冊子ＳＡは用紙後処理装置Ｂの前面側Ｂｆの扉を開いて、取り出す事が出来る。
【０１２８】
なお、本発明の実施の形態では、複写機本体に接続した中折り、中綴じ機構を有する用紙後処理装置Ｂについて説明したが、中綴じを先行処理した後に中折り処理する用紙後処理装置や、軽印刷機に接続された製本装置にも、本発明の用紙折り装置を備えた用紙に選択的に接続して、多目的、多機能の後処理を一貫して処理することも可能である。
【０１２９】
また、軽印刷機、プリンタ、ファクシミリ、複合機等の画像形成装置に接続して使用する後処理装置にも適用可能である。
【０１３０】
更に、画像形成装置から分離した単独の形態の用紙後処理装置として各種折り処理を実施することも可能である。
【図面の簡単な説明】
【０１３１】
【図１】画像形成装置、自動原稿送り装置、用紙後処理装置、大容量給紙装置から成る画像形成システムの全体構成図。
【図２】用紙後処理装置の用紙搬送工程を示す模式図。
【図３】用紙後処理装置の中折り、中綴じ処理工程の用紙搬送を示す模式図。
【図４】用紙後処理装置の正面図。
【図５】用紙の右側面図。
【図６】後処理装置の左側面図。
【図７】冊子搬送駆動機構の全体図。
【図８】冊子搬送手段と搬送ベルトを揺動駆動させる揺動機構の断面図。
【図９】押圧板の昇降駆動手段と冊子挟持搬送手段とを示す断面図。
【図１０】押圧板昇降駆動手段の斜視図。
【図１１】小口押圧部材の昇降駆動を示す断面図。
【図１２】断裁装置近傍の断面図。
【図１３】断裁装置近傍の側面図。
【図１４】断裁装置の正面図、及び側断面図。
【図１５】断裁装置の各種例を示す断面図。
【図１６】用紙後処理装置の制御を示すブロック図。
【図１７】冊子を搬送し、曲がりを修正して断裁装置に送り込む工程の第１の実施の形態を示す断面図。
【図１８】冊子を搬送する第１の実施の形態を示す断面図。
【図１９】冊子を搬送する第１の実施の形態を示す断面図。
【図２０】冊子の曲がり修正する第１の実施の形態を示す断面図。
【図２１】冊子を断裁処理開口部に搬送する第１の実施の形態を示す断面図。
【図２２】冊子の曲がりを修正して搬送する工程の第２の実施の形態を示す断面図。
【図２３】断裁処理した冊子を排出する工程を示す断面図。
【図２４】断裁処理した冊子を排出する工程を示す断面図。
【符号の説明】
【０１３２】
３０  折り処理部
４０  中綴じ処理部
５０  冊子搬送手段
５０Ａ  冊子載置台
５３  搬送ベルト
５４  可動整合部材
５７  整合部材
６０  冊子挟持移動手段
６１  移動体
６２  押圧部材
６９  冊子支持板
８０  小口押圧部材
８４  先端ストッパ
８５  可動部材
８６  レバー
８７  支軸
９０  断裁装置
９０Ａ  断裁処理開口部
９１  回転上刃
９２  固定下刃
９５  回転上刃移動体
９６  断裁装置本体
１００  制御手段
Ａ  画像形成装置
Ｂ  用紙後処理装置
Ｍ１〜Ｍ７  モータ
ＰＳ１，ＰＳ２，ＰＳ３，ＰＳ５，ＰＳ６，ＰＳ７  センサ
ＰＳ４  初期位置センサ（ＨＰセンサ）
Ｓ  用紙
ＳＡ  冊子（製本物）
ｄ  折り目部
ｅ  小口
ｋ  間隙
【図１】
2005306558.tif 000003
【図２】
2005306558.tif 000004
【図３】
2005306558.tif 000005
【図４】
2005306558.tif 000006
【図５】
2005306558.tif 000007
【図６】
2005306558.tif 000008
【図７】
2005306558.tif 000009
【図８】
2005306558.tif 000010
【図９】
2005306558.tif 000011
【図１０】
2005306558.tif 000012
【図１１】
2005306558.tif 000013
【図１２】
2005306558.tif 000014
【図１３】
2005306558.tif 000015
【図１４】
2005306558.tif 000016
【図１５】
2005306558.tif 000017
【図１６】
2005306558.tif 000018
【図１７】
2005306558.tif 000019
【図１８】
2005306558.tif 000020
【図１９】
2005306558.tif 000021
【図２０】
2005306558.tif 000022
【図２１】
2005306558.tif 000023
【図２２】
2005306558.tif 000024
【図２３】
2005306558.tif 000025
【図２４】
2005306558.tif 000026